(57)【特許請求の範囲】
【請求項１】
植毛台に毛束を植設してなる植毛部と、手で把持するためのグリップ部と、植毛台とグリップ部とを接続する首部とを有する歯ブラシと、植毛部及び首部を覆うように前記歯ブラシに着脱自在に取り付けたキャップとを備えたキャップ付き歯ブラシであって、
前記グリップ部の長さ方向の途中部に前記キャップとの係合部が形成され、
前記歯ブラシの植毛台に対する毛束の植設側を正面側とし、反対側を背面側とした場合に、前記グリップ部における係合部側の基端部から先端部までのキャップとの嵌合部の断面形状が、正面側を頂角となし、背面側を底辺となし、３つの角部を円弧状となした２等辺三角形状であって、背面側部分が側方へ膨出する下膨れ形状に形成されるとともに、嵌合部の先端外周面が歯ブラシの首部に滑らかに連なるように、係合部から首部側へ行くにしたがって断面が略相似形で連続的に小さくなるように形成され、
前記首部の側面視における正面側の外形線と嵌合部の側面視における正面側の外形線とが、連続的に連なった前方へ突出する円弧状の曲線で構成され、首部の側面視における背面側の外形線と嵌合部の背面とが略同一平面内に配置され、
前記キャップの基部が嵌合部の基部に適合する内面形状に形成され、キャップの先端部が植毛部を取り囲む小判型に形成され、キャップの基部と先端部とが滑らかに連なるように形成され、
前記キャップの先端部に植毛台の先端部を保持する保持部が設けられた、
ことを特徴とするキャップ付き歯ブラシ。
【請求項２】
前記首部の背面とグリップ部の背面とが略同一平面内に配置された請求項１記載のキャップ付き歯ブラシ。
【請求項３】
前記首部の側面視における正面側の外形線とグリップ部の側面視における正面側の外形線とが、連続的に連なった前方へ突出する円弧状の曲線で構成された請求項１又は２記載のキャップ付き歯ブラシ。
【請求項４】
前記キャップの先端部内に植毛台をキャップの先端部側へ案内するガイド突起を形成した請求項１〜３のいずれか１項記載のキャップ付き歯ブラシ。
【請求項５】
前記キャップの途中部から先端部までの断面形状を略同じ寸法の小判型に形成した請求項１〜４のいずれか１項記載のキャップ付き歯ブラシ。
【請求項６】
前記キャップの先端部に蓋体を着脱可能に固定し、該蓋体に前記植毛台の保持部を形成した請求項１〜５のいずれか１項記載のキャップ付き歯ブラシ。
【請求項７】
前記歯ブラシが、駆動部を内装したグリップ部と、グリップ部の先端部に着脱自在に取り付けられる替えブラシとを有する電動歯ブラシである請求項１〜６のいずれか１項記載のキャップ付き電動歯ブラシ。
【発明の詳細な説明】
【技術分野】
【０００１】
本発明は、携帯用として好適なキャップ付き歯ブラシに関するものである。
【背景技術】
【０００２】
電動歯ブラシとして、化粧品を収納するハンドバッグやポーチ等に収納可能な小型のキャップ付き電動歯ブラシが、化粧直しの際に手軽にブラッシングできることから、会社勤めの女性の間で普及しつつある（例えば、特許文献１参照。）。
【０００３】
通常、前記キャップ付き電動歯ブラシは、ハンドバッグやポーチ等に収納する関係上、化粧品や化粧道具との意匠的なギャップをできるだけ少なくするため、化粧品や化粧道具の意匠を考慮したデザインがなされ、外観形状だけでは電動歯ブラシであることが判別できない程度に、スリムでおしゃれなデザインに構成されている。具体的には、キャップ及びそれに連なる電動歯ブラシのグリップ部の基部側部分を同一断面積の連続的な円筒状や、角部を丸めた角筒状の細長い筒状に形成したものが実用化されている。
【先行技術文献】
【特許文献】
【０００４】
【特許文献１】特開２０１１−１３０９７１号公報
【発明の概要】
【発明が解決しようとする課題】
【０００５】
ところで、前記キャップ付き電動歯ブラシでは、外観形状をできるだけ小さくスリムに構成するため、キャップ及び電動歯ブラシのグリップ部の基部側部分を同一断面積の連続的な円筒状や、角部を丸めた角筒状の細長い筒状に形成しており、キャップの外面とグリップ部の基部側部分の外面とが連続的に連なるように、電動歯ブラシのグリップ部におけるキャップとの嵌合部が、キャップの厚さ分だけ、グリップ部の基部側部分よりも一回り小さい断面形状に構成されている。しかし、このように構成すると、グリップ部の途中部に段差が形成されるため、グリップ部を手で保持したときのフィット感が低下するだけでなく、キャップの厚さ分だけブラシの毛丈が短くなり、歯ブラシの使用感が低下し、ブラッシング性能が低下したり、歯肉を痛めたりするという問題があった。
【０００６】
本発明の目的は、歯ブラシの使用感を低下させることなく、小型で且つ意匠性に優れ、しかも手で持ったときのフィット感のあるキャップ付き歯ブラシを提供することである。
【課題を解決するための手段】
【０００７】
本発明に係るキャップ付き歯ブラシは、植毛台に毛束を植設してなる植毛部と、手で把持するためのグリップ部と、植毛台とグリップ部とを接続する首部とを有する歯ブラシと、植毛部及び首部を覆うように前記歯ブラシに着脱自在に取り付けたキャップとを備えたキャップ付き歯ブラシであって、前記グリップ部の長さ方向の途中部に前記キャップとの係合部が形成され、前記歯ブラシの植毛台に対する毛束の植設側を正面側とし、反対側を背面側とした場合に、前記グリップ部における係合部側の基端部から先端部までのキャップとの嵌合部の断面形状が、正面側を頂角となし、背面側を底辺となし、３つの角部を円弧状となした２等辺三角形状であって、背面側部分が側方へ膨出する下膨れ形状に形成されるとともに、嵌合部の先端外周面が歯ブラシの首部に滑らかに連なるように、係合部から首部側へ行くにしたがって断面が略相似形で連続的に小さくなるように形成され、前記首部の側面視における正面側の外形線と嵌合部の側面視における正面側の外形線とが、連続的に連なった前方へ突出する円弧状の曲線で構成され、首部の側面視における背面側の外形線と嵌合部の背面とが略同一平面内に配置され、前記キャップの基部が嵌合部の基部に適合する内面形状に形成され、キャップの先端部が植毛部を取り囲む小判型に形成され、キャップの基部と先端部とが滑らかに連なるように形成され、前記キャップの先端部に植毛台の先端部を保持する保持部が設けられたものである。
【０００８】
このキャップ付き歯ブラシでは、歯ブラシの周方向位置とキャップの周方向位置とを適合させて、歯ブラシにキャップを嵌合させることになるが、このとき、歯ブラシの周方向位置とキャップの周方向位置とが多少ずれている場合でも、嵌合途中において、キャップの基部内面がグリップ部の嵌合部の外面に当接して、キャップが周方向に位置調整されながら嵌合するので、歯ブラシに対してキャップを容易に取り付けることができる。しかも、このようにキャップが周方向に位置調整されるので、植毛部のブラシの先端部がキャップ内面にできるだけ接触しないようにしつつ、歯ブラシに対してキャップを嵌合させることができ、キャップ内面との接触により植毛部の先端部が汚れたり、損傷したりするという不具合を防止できる。また、キャップを嵌合させた状態で、保持部により植毛台の先端部が保持されるので、ポーチ等に歯ブラシを収納したときに、植毛台がキャップ内面に当接してカタタカと異音を発することを防止できる。更に、キャップの基部を嵌合部の基部に適合する内面形状に形成し、キャップの先端部を、植毛部を取り囲む小判型に形成しているので、意匠性を低下させることなく、ブラッシングに最適な毛丈を確保することが可能となり、歯ブラシの使用感を十分に確保できる。
【０００９】
ここで、前記首部の背面とグリップ部の背面とが略同一平面内に配置されていることが好ましい実施の形態である。このように構成することで、キャップ付き歯ブラシの外形寸法を小さくしつつ植毛部の毛丈を十分に確保できる。また、グリップ部における段差をなくして、グリップ部を手で保持したときにおけるフィット感を向上できる。
【００１０】
側面視において、前記首部の側面視における正面側の外形線とグリップ部の側面視における正面側の外形線とが、連続的に連なった前方へ突出する円弧状の曲線で構成されていることも好ましい実施の形態である。この場合には、歯ブラシのグリップ部を手で保持したときにおける納まりがよく、グリップ部における段差をなくして、グリップ部を手で保持したときにおけるフィット感を一層向上できる。特に、操作性を考慮すると、本発明は、電動歯ブラシのグリップ部の形状として好適に採用できる。
【００１１】
前記キャップの先端部内に植毛台をキャップの先端部側へ案内するガイド突起を形成することも好ましい実施の形態である。この場合には、ガイド突起により植毛台を案内しながら、歯ブラシに対してキャップを着脱できるので、キャップの着脱操作性を一層向上できる。
【００１２】
前記キャップの途中部から先端部までの断面形状を略同じ寸法の小判型に形成することも好ましい実施の形態である。この場合には、キャップの基端部から途中部までの間において、植毛部がキャップの中央部側へ案内され、キャップの途中部から先端部までの間において植毛部の側方への移動が規制されるので、植毛部の側方への移動を早期に収束でき、キャップの着脱操作性を一層向上できる。
【００１３】
前記キャップの先端部に蓋体を着脱可能に固定し、該蓋体に前記植毛台の保持部を形成することも可能である。このような別部材からなる蓋体を設けると、キャップ及び蓋体の成形性を向上できる。また、キャップ内面が汚れた場合には、蓋体を取り外して、キャップ内を容易に清掃できるので、キャップの清掃性を向上できる。
【００１４】
前記歯ブラシが、駆動部を内装したグリップ部と、グリップ部の先端部に着脱自在に取り付けられる替えブラシとを有する電動歯ブラシであることが好ましい実施の形態である。電動歯ブラシにおいては、グリップ部にモータや電池などを内装する必要があり、グリップの外形寸法がどうしても大きくなるので、歯ブラシの使用感を十分に確保しつつ、小型で且つ意匠性に優れたキャップ付き電動歯ブラシを実現するために、本発明のように構成することが好ましい。
【発明の効果】
【００１５】
本発明に係るキャップ付き歯ブラシによれば、歯ブラシの周方向位置とキャップの周方向位置とを適合させて、歯ブラシにキャップを嵌合させることになるが、このとき、歯ブラシの周方向位置とキャップの周方向位置とが多少ずれている場合でも、嵌合途中において、キャップの基部内面がグリップ部の嵌合部の外面に当接して、キャップが周方向に位置調整されながら嵌合するので、歯ブラシに対してキャップを容易に取り付けることができる。しかも、このようにキャップが周方向に位置調整されるので、植毛部のブラシの先端部がキャップ内面にできるだけ接触しないようにしつつ、歯ブラシに対してキャップを嵌合させることができ、キャップ内面との接触により植毛部の先端部が汚れたり、損傷したりするという不具合を防止できる。また、キャップを嵌合させた状態で、保持部により植毛台の先端部が保持されるので、ポーチ等に歯ブラシを収納したときに、植毛台がキャップ内面に当接してカタタカと異音を発することを防止できる。更に、キャップの基部を嵌合部の基部に適合する内面形状に形成し、キャップの先端部を、植毛部を取り囲む小判型に形成しているので、意匠性を低下させることなく、ブラッシングに最適な毛丈を確保することが可能となり、歯ブラシの使用感を十分に確保できる。
【図面の簡単な説明】
【００１６】
【図１】キャップ付き電動歯ブラシの斜視図
【図２】キャップ付き電動歯ブラシのキャップを取り外した状態での斜視図
【図３】キャップ付き電動歯ブラシの（ａ）は平面図、（ｂ）は正面図、（ｃ）は右側面図、（ｄ）は背面図
【図４】電動歯ブラシの（ａ）は平面図、（ｂ）は正面図、（ｃ）は右側面図、（ｄ）は背面図
【図５】図３（ｂ）のV-V線断面図
【図６】図３（ｂ）のVI-VI線断面図
【図７】蓋体の（ａ）は平面、（ｂ）は正面図、（ｃ）は右側面図、（ｄ）は底面図
【図８】フリップ部の嵌合部の背面図
【図９】嵌合部の位置と周長の変化量の関係を示すグラフ
【図１０】（ａ）〜（ｄ）は電動歯ブラシに対するキャップの嵌合過程を段階的に示す説明図
【図１１】図１０（ａ）の（ａ）はａ−ａ線断面図、（ｂ）はｂ−ｂ線断面図
【図１２】図１０（ｂ）の（ａ）はａ−ａ線断面図、（ｂ）はｂ−ｂ線断面図
【図１３】図１０（ｃ）の（ａ）はａ−ａ線断面図、（ｂ）はｂ−ｂ線断面図
【図１４】図１０（ｄ）の（ａ）はａ−ａ線断面図、（ｂ）はｂ−ｂ線断面図
【発明を実施するための形態】
【００１７】
以下、本発明の実施の形態について図面を参照しながら説明する。
図１〜図７に示すように、キャップ付き電動歯ブラシ１は、植毛台１１に毛束１２を植設してなる植毛部１３と、手で把持するためのグリップ部１４と、植毛台１１とグリップ部１４とを接続する首部１５とを有する電動歯ブラシ１０と、植毛部１３及び首部１５を覆うように電動歯ブラシ１０に着脱自在に取り付けたキャップ３０とを備えている。なお、本発明は、電動歯ブラシ１０に好適に採用できるが、歯ブラシの外形寸法を以下に説明する電動歯ブラシ１０と同様に設定することで、手動の歯ブラシに対しても、同様に適用することができる。
【００１８】
グリップ部１４の先端部には植毛部１３と首部１５とを有する替えブラシ１６が着脱可能に取り付けられている。替えブラシ１６を取り付けるためグリップ部１４の先端部には円柱状の係合突部１７が形成され、係合突部１７の外周面には略Ｌ字状の１対の係止溝１８が周方向に間隔をあけて形成されている。替えブラシ１６の基部には係合突部１７に外嵌する円筒状の取付部材１９が設けられ、取付部材１９の内面には係止溝１８に嵌合する１対の係止部２０が突出状に形成され、替えブラシ１６は、１対の係止部２０を１対の係止溝１８にそれぞれ係合させながら、取付部材１９を係合突部１７の根元まで嵌合させて、替えブラシ１６を周方向に一定角度回転させることで、脱落しないようにグリップ部１４に取り付けられている。なお、１対の係止溝１８は、相互に異なる溝幅に構成され、特定の係止部２０にのみ係合するように構成されており、替えブラシ１６をグリップ部１４に取り付けた状態で、グリップ部１４の周方向位置と替えブラシ１６の周方向位置とが常に同じ位置になるように構成されている。
【００１９】
グリップ部１４の長さ方向の途中部には周方向に延びる環状溝からなる係合部２１が形成され、グリップ部１４における係合部２１よりも先端部側にはキャップ３０が外嵌される嵌合部２２が形成され、係合部２１よりも基端部側には筒状の基部ケース２３が着脱自在に取り付けられている。
【００２０】
グリップ部１４には植毛部１３を駆動するための駆動部２４が内装されている。駆動部２４は、グリップ部１４の嵌合部２２内に内装したモータ２５と、モータ２５の回転軸２６に固定した偏心錘２７と、グリップ部１４の基部ケース２３に交換可能に内装した電池２８とを備え、電池２８によりモータ２５を駆動して偏心錘２７を回転させ、偏心錘２７の回転により発生する振動をグリップ部１４から替えブラシ１６の植毛部１３に伝達するように構成したものである。ただし、駆動部２４としては、モータの回転運動を往復直線運動に切り替える変換手段を備え、替えブラシをその長さ方向に往復直線運動させるように構成したものや、モータの回転運動を往復反転運動に切り替える変換手段を備え、毛束の植設方向を中心として植毛部を正方向に一定角度回転させてから、逆方向に一定角度回転させるという往復反転運動を繰り返し行うように構成したものや、永久磁石とコイルとを用いて替えブラシを振動させるように構成したものなど、周知の駆動部を備えさせることも可能である。なお、符号２９は、モータ２５への通電をＯＮ状態とＯＦＦ状態とに切換え可能な押しボタン式の電源スイッチである。
【００２１】
グリップ部１４の嵌合部２２の断面形状は、植毛台１１に対する毛束１２の植設側を正面側とし、反対側を背面側とした場合に、正面側を頂角となし、背面側を底辺となし、３つの角部を円弧状となした２等辺三角形状であって、背面側部分が側方へ膨出する下膨れ形状に形成されている。具体的には、図６に示すように、背面側の両側部には側部アールＧＲ１が形成され、正面側には側部アールＧＲ１よりも緩やかに湾曲する頂部アールＧＲ２が形成され、両側面には頂部アールＧＲ２よりも緩やかに湾曲する側面アールＧＲ３が形成され、背面側には側部アールＧＲ１よりも緩やかに湾曲する背面アールＧＲ４が形成された、２等辺三角形状であって、背面側部分が側方へ膨出する下膨れ形状に形成されるとともに、嵌合部２２の先端外周面が替えブラシ１６の首部１５に滑らかに連なるように、係合部から首部１５側へ行くにしたがって断面が略相似形で連続的に小さくなるように形成されている。
【００２２】
基部ケース２３の係合部２１側の先端部は嵌合部２２の基端部に係合部２１を挟んで段差なく滑らかに連なるように形成され、基部ケース２３の基端部は略円形に形成され、基部ケース２３の外周面は、その先端部の下膨れ形状から、それよりも小径の基端部の円形状に、断面形状が滑らかに変化するように構成されている。
【００２３】
図４に示すように、替えブラシ１６の背面側の稜線ＳＢＬとグリップ部１４の背面１４ａとは略同一平面内に配置され、替えブラシ１６の正面側の稜線ＳＦＬとグリップ部１４の正面側の稜線ＧＦＬとは、連続的に連なった前方へ突出する円弧状の曲線で構成され、グリップ部１４は、手で把持したときに手にフィットする形状に形成されている。
【００２４】
ここで、嵌合部２２の外観形状の近似計算について説明する。
図８に示すように、嵌合部２２の先端部からの長さをｘとし、長さｘの位置における嵌合部２２の外周長をｙとし、ｘ＝０のときの外周長ｙをＢとし、係数をＡとすると、近似式ｙ＝Ａｌｎｘ＋Ｂが、５０ｍｍ≧ｘ≧２０ｍｍのときに成立する。
【００２５】
そこで、嵌合部２２の周長の変化量ｙの近似式、即ち定数Ｂ＝０のときの近似式ｙ＝Ａｌｎｘを用い、係数Ａを５、６．３７０２、１４、１６に設定した場合における、嵌合部２２の先端部からの長さｘと、嵌合部２２の周長の変化量ｙの関係を求めた。その結果を図９に示す。
【００２６】
図９から係数Ａが５未満の場合には、周長の変化量が小さくなり過ぎて、嵌合部２２が略円柱になって、持ち難くなり、係数Ａが１６を超えると周長の変化量が大きくなりすぎ、嵌合部２２の長さをその内部にモータ２５を収容可能な長さに設定すると、嵌合部２２の基部が太くなり過ぎて持ちにくくなるので、係数Ａは５以上で１６以下、好ましくは５以上で１４以下、更に好ましくは５以上で１０以下に設定することが好ましい。
【００２７】
キャップ３０の基端内面には係合部２１に係脱可能な係合突部３７が形成され、キャップ３０は、替えブラシ１６及び嵌合部２２に外嵌させて、グリップ部１４の係合部２１に係合突部３７を係合させることで、電動歯ブラシ１０に着脱自在に取り付けられている。
【００２８】
キャップ３０の基端内面には嵌合部２２の基部外面に隙間なく外嵌合するように、グリップ部１４における係合部２１側の基端部から先端部までのキャップ３０との嵌合部２２の断面形状が、正面側を頂角となし、背面側を底辺となし、３つの角部を円弧状となした２等辺三角形状であって、下膨れ状の内面形状に形成されている。具体的には、図６に示すように、キャップ３０の基端内面における、背面側の両側部には側部アールＣＲ１が形成され、正面側には側部アールＣＲ１よりも緩やかに湾曲する頂部アールＣＲ２が形成され、両側面には頂部アールＣＲ２よりも緩やかに湾曲する側面アールＣＲ３が形成され、背面側には側部アールＣＲ１よりも緩やかに湾曲する背面アールＣＲ４が形成されて、キャップ３０の基端内面が２等辺三角形状に形成されている。キャップ３０の先端部は植毛部１３を取り囲むように、左右の側壁部３０ａが略平行な平板状で、正面側と背面側の壁部３０ｂが半円状の小判型に形成され、キャップ３０の基端部の正面と背面間の距離はキャップ３０の先端部の正面と背面間の距離と略同じに設定され、キャップ３０の側面間の距離は基端部から先端部側へ行くにしたがって幅狭となるように構成され、キャップ３０の途中部は、キャップ３０の基部から先端部へ向けて滑らかに断面形状が変化するように形成されている。
【００２９】
キャップ３０の途中部から先端部まで、具体的にはキャップ３０の先端部からキャップ３０全長の１／３程度の範囲には、断面形状が略同じ寸法の小判型に形成されたストレート部３１が形成され、キャップ３０の基端部からキャップ３０全長の２／３程度の範囲の側壁部には、基端部から先端部側へ行くにしたがって幅狭となる案内部３２が形成され、電動歯ブラシ１０を替えブラシ１６側からキャップ３０に挿入すると、植毛部１３が案内部３２の内面に当接してキャップ３０の幅方向の中央部側へ案内されるように構成されている。キャップ３０の先端部内には植毛台１１をキャップ３０の先端部側へ案内する１対のガイド突起３３がキャップ３０の長さ方向に形成され、植毛台１１の背面をガイド突起３３で浮かせてキャップ３０の内面に密着させないことで、植毛台１１に対する汚れの付着を極力防止できるように構成されている。
【００３０】
キャップ３０の先端部には蓋体３５が着脱可能に固定され、蓋体３５には植毛台１１の先端部を保持する保持部が形成されている。保持部としては、図７に示すように、植毛台１１の先端部の背面側に当接可能な背面側保持部３６ａと、植毛台１１の先端部の両側部の正面側に当接可能な正面側保持部３６ｂと、植毛台１１の両側部の先端部に当接する側部保持部３６ｃと、植毛台１１の先端部の中央部に当接する先端保持部３６ｄとを備えており、植毛台１１は、キャップ３０を電動歯ブラシ１０に嵌合させた状態で、背面側保持部３６ａと正面側保持部３６ｂとにより前後方向への移動が規制され、側部保持部３６ｃにより左右方向の移動が規制され、先端保持部３６ｄにより上方への移動が規制された状態で、キャップ３０内に保持される。なお、符号３８は水抜き用の孔であり、符号３９は蓋体３５をキャップ３０に固定するために蓋体３５に設けた固定片である。
【００３１】
次に、キャップ付き電動歯ブラシ１の嵌合方法について説明する。
このキャップ付き電動歯ブラシ１では、電動歯ブラシ１０の周方向位置とキャップ３０の周方向位置とを合致させて、電動歯ブラシ１０にキャップ３０を嵌合させることになるが、このとき、電動歯ブラシ１０の植毛台１１は、案内部３２の内面で幅方向に案内されて、ストレート部３１内に挿入され、蓋部３５の保持部３６ａ〜３６ｄにより幅方向（左右方向）及び前後方向に移動しないように保持されることになる。また、グリップ部１４の嵌合部２２にはキャップ３０の案内部３２が外嵌されることになるが、このとき電動歯ブラシ１０の周方向位置とキャップ３０の周方向位置とが周方向に多少ずれている場合でも、図１０（ａ）、図１１に示すように、嵌合途中において、例えばキャップ３０内面の左側の側面アールＣＲ３と、背面アールＣＲ４と、右側の側面アールＣＲ３とが、嵌合部２２の頂部アールＧＲ２と、左側の側部アールＧＲ１と、右側の側部アールＧＲ１とにそれぞれ当接しながら、図１０（ａ）〜（ｃ）及び図１１〜図１３に示すように、キャップ３０が矢印Ａで示す方向へ微小回転して、図１０（ｄ）及び図１４に示すように、キャップ３０の案内部３２がグリップ部１４の嵌合部２２の周方向の適正位置に嵌合することになり、キャップ３０が周方向に位置調整されながら嵌合するので、電動歯ブラシ１０に対してキャップ３０を容易に嵌合させることが可能となる。
【００３２】
このようにキャップ３０が周方向に位置調整されながら、電動歯ブラシ１０に対してキャップ３０が嵌合するので、植毛部１３のブラシの先端部がキャップ３０内面にできるだけ接触しないようにしながら、キャップ３０を嵌合させることが可能となり、キャップ３０内面との接触により植毛部１３の先端部が汚れたり、損傷したりするという不具合を防止できる。また、キャップ３０を嵌合させた状態で、保持部３６ａ〜３６ｄにより植毛台１１の先端部が保持されるので、ポーチ等に電動歯ブラシ１０を収納したときに、植毛台１１がキャップ３０内面に当接してカタタカと異音を発することを防止できる。更に、キャップ３０の基部を嵌合部２２の基部に適合する内面形状に形成し、キャップ３０の先端部を、植毛部１３を取り囲む小判型に形成しているので、意匠性を低下させることなく、ブラッシングに最適な毛丈を確保することが可能となり、電動歯ブラシ１０の使用感を十分に確保できる。
【００３３】
以上、本発明の実施形態について説明したが、本発明は前述した実施形態に何ら限定されるものではなく、本発明の要旨を逸脱しない範囲においてその構成を変更し得ることは勿論である。
【符号の説明】
【００３４】
１      キャップ付き電動歯ブラシ
１０    電動歯ブラシ        １１    植毛台
１２    毛束                １３    植毛部
１４    グリップ部          １４ａ  背面
１５    首部                １６    替えブラシ
１７    係合突部            １８    係止溝
１９    取付部材            ２０    係止部
２１    係合部              ２２    嵌合部
２３    基部ケース          ２４    駆動部
２５    モータ              ２６    回転軸
２７    偏心錘              ２８    電池
２９    電源スイッチ
３０    キャップ            ３０ａ  側壁部
３０ｂ  壁部                ３１    ストレート部
３２    案内部              ３３    ガイド突起
３５    蓋体                ３６ａ  背面側保持部
３６ｂ  正面側保持部        ３６ｃ  側部保持部
３６ｄ  先端保持部          ３７    係合突部
３８    孔                  ３９    固定片
ＣＲ１  側部アール          ＣＲ２  頂部アール
ＣＲ３  側面アール          ＣＲ４  背面アール
ＧＦＬ  稜線
ＧＲ１  側部アール          ＧＲ２  頂部アール
ＧＲ３  側面アール          ＧＲ４  背面アール
ＳＢＬ  稜線                ＳＦＬ  稜線
【図１】
0005845759.tif 000002
【図２】
0005845759.tif 000003
【図３】
0005845759.tif 000004
【図４】
0005845759.tif 000005
【図５】
0005845759.tif 000006
【図６】
0005845759.tif 000007
【図７】
0005845759.tif 000008
【図８】
0005845759.tif 000009
【図９】
0005845759.tif 000010
【図１０】
0005845759.tif 000011
【図１１】
0005845759.tif 000012
【図１２】
0005845759.tif 000013
【図１３】
0005845759.tif 000014
【図１４】
0005845759.tif 000015